(57)【要約】【課題】外枠が目立ちにくい天板及び加熱調理器を提案する。【解決手段】天板１は、天板本体２と、天板本体２を囲む外枠３と、を備える。外枠３は、天板本体２とは反対側である外側を向く外面４を有する。外面４は、外面上部４０と、外面上部４０の下端４００に連続する外面下部４１を含む。外面下部４１は、外面上部４０の下端４００よりも内側に位置する。加熱調理器は、上記の天板１と、天板１の上方に配置された調理容器を加熱する加熱装置と、を備える。【選択図】図２
2020153570.tif 000002
【特許請求の範囲】
【請求項１】
天板本体と、
前記天板本体を囲む外枠と、を備え、
前記外枠は、前記天板本体とは反対側である外側を向く外面を有し、
前記外面は、外面上部と、前記外面上部の下端に連続する外面下部を含み、
前記外面下部は、前記外面上部の前記下端よりも内側に位置する、
天板。
【請求項２】
前記外面上部は、鉛直面に対して傾いた面であり、下側の部分ほど外側に位置する、
請求項１に記載の天板。
【請求項３】
前記外面下部は、凹曲面である、
請求項１又は２に記載の天板。
【請求項４】
前記外面上部と前記外面下部は、角を形成するように連続している、
請求項１から３のいずれか一つに記載の天板。
【請求項５】
前記外枠は、前記天板本体の外側に位置する上面を有し、
前記上面の高さは、前記天板本体の上面の外縁の高さ以下である、
請求項１から４のいずれか一つに記載の天板。
【請求項６】
前記天板本体の上面の外周部分は、外側の部分ほど下方に位置するように傾いた傾斜面である、
請求項５に記載の天板。
【請求項７】
前記天板本体は、ガラス製である、
請求項５又は６に記載の天板。
【請求項８】
請求項１から７のいずれか一つの天板と、
前記天板の上方に配置された調理容器を加熱する加熱装置と、
を備える、
加熱調理器。
【発明の詳細な説明】
【技術分野】
【０００１】
本開示は、天板、及び加熱調理器に関する。
【背景技術】
【０００２】
特許文献１には、コンロ用ガラス天板が記載されている。
【０００３】
このコンロ用ガラス天板は、外枠とその枠内に配置されるガラス板と、を備える。
【先行技術文献】
【特許文献】
【０００４】
【特許文献１】特開２００６−１０１５５号公報
【発明の概要】
【発明が解決しようとする課題】
【０００５】
ところで、特許文献１に記載のコンロ用ガラス天板では、外枠のガラス板とは反対側を向く外面は、その上部が凸曲面となっており、その下部が鉛直面となっている。そのため、このコンロ用ガラス天板では、上方から見たときに、外枠の外面の全体が見えて、外枠が幅広にかつ上下に長く見え、外枠が目立っていた。
【０００６】
上記事情に鑑みて、本開示は、外枠が目立ちにくい天板及び加熱調理器を提案することを、目的とする。
【課題を解決するための手段】
【０００７】
本開示に係る一態様の天板は、天板本体と、前記天板本体を囲む外枠と、を備える。前記外枠は、前記天板本体とは反対側である外側を向く外面を有する。前記外面は、外面上部と、前記外面上部の下側に連続する外面下部を含む。前記外面下部は、前記外面上部の下端よりも内側に位置する。
【０００８】
また、本開示に係る一態様の加熱調理器は、前記の天板と、前記天板の上方に配置された調理容器を加熱する加熱装置と、を備える。
【発明の効果】
【０００９】
本開示では、外枠が目立ちにくい天板及び加熱調理器を提案することができる。
【図面の簡単な説明】
【００１０】
【図１】図１は、本開示に係る一実施形態の天板を示す斜視図である。
【図２】図２は、図１のＡ−Ａ線における断面図である。
【図３】図３は、同上の天板を備える加熱調理器の一例を示す斜視図である。
【図４】図４は、同上の天板の外枠を示す斜視図である。
【図５】図５は、図４のＣ部分を示す拡大斜視図である。
【図６】図６Ａは、同上の外枠の変形例１を示す断面図であり、図６Ｂは、同上の外枠の変形例２を示す断面図であり、図６Ｃは、同上の外枠の変形例３を示す断面図である。
【発明を実施するための形態】
【００１１】
（１）概要
図１及び図２に示す一実施形態の天板１は、天板本体２と、天板本体２を囲む外枠３と、を備える。外枠３は、天板本体２とは反対側である外側を向く外面４を有する。外面４は、外面上部４０と、外面上部４０の下端４００に連続する外面下部４１を含む。外面下部４１は、外面上部４０の下端４００よりも内側に位置する。
【００１２】
上記構成を備えることで、一実施形態の天板１では、上方から見たときに、外枠３の外面４のうち、外面下部４１が影になって見えにくく、外面４の全体が見える場合に比べて、外枠３が幅狭にかつ上下に短く見えて、外枠３が目立ちにくい。
【００１３】
また、図３に示す一実施形態の加熱調理器１００は、上記の天板１と、天板１の上方に配置された調理容器を加熱する加熱装置５と、を備える。
【００１４】
上記構成を備えることで、一実施形態の加熱調理器１００では、天板１の外枠３が目立ちにくい。
【００１５】
（２）詳細
続いて、本実施形態の天板１及び加熱調理器１００について、更に詳しく説明する。
【００１６】
（２−１）天板
図１に示す天板１は、ドロップインタイプのグリル付きガスコンロからなる加熱調理器１００（図３参照）の天板を構成する。以下では、加熱調理器１００に対して設計上利用者が位置する側を前側とし、その反対側を後側とし、利用者から見た方向を基準にして、左右方向を設定する。
【００１７】
図１及び図２に示すように、天板１は、天板１の主体を構成する天板本体２と、天板本体２を囲む外枠３に加えて、排気枠６と、天板本体２の裏面（下面）を支持する裏板（図示せず）と、パッキン７を備える。
【００１８】
天板本体２は、本実施形態では、ガラス製であり、より詳しくは、耐熱性を有する強化ガラス製である。天板本体２には、上下方向に貫通する複数（本実施形態では三つ）の貫通孔２０が形成されている。複数の貫通孔２０のそれぞれには、リング状（円環状）の保護カバー２１が装着されている。
【００１９】
天板本体２の上面２２は、平面視矩形状である。上面２２の外周部分（本実施形態では左右の端部と前端部）は、外側の部分ほど下方に位置するように、水平面に対して傾いた傾斜面２３である。上面２２の外周部分を除く残りの部分は、水平面に対して平行な平面である。複数の貫通孔２０は、上面２２のうち平面の部分に形成されている。
【００２０】
天板本体２の下面２４には、裏板が重ねられる。裏板は、金属製である。裏板は、天板本体２の下面２４のうち、外周部分を除いた残りの部分を全体的に支持する。裏板のうち、天板本体２の複数の貫通孔２０に対応する箇所には、孔が設けられている。天板本体２と裏板は、外枠３によって支持される。
【００２１】
排気枠６は、その中央部に上下方向に貫通した排気口６０が設けられている。排気口６０は、加熱調理器１００のグリル庫内で発生する排気を排出するための開口である。排気枠６は、アルミニウム等の金属製である。
【００２２】
排気枠６は、天板本体２の後方に配置され、外枠３の後端部分によって支持される。排気枠６は、その前端部が天板本体２の後端部の上に載せられる。
【００２３】
パッキン７は、平面視矩形枠状である。パッキン７は、外枠３の下面に外枠３の周方向の全長にわたって装着される。パッキン７は、調理台のカウンター上面と外枠３との間に挟まれる。
【００２４】
続いて、外枠３について説明する。
【００２５】
外枠３は、図４に示すように、平面視矩形枠状である。外枠３は、アルミニウム等の金属で形成される。外枠３は、アルミニウムを押出成形して形成される１本の枠材を、矩形枠状に曲げて、長手方向の両端部を接続することによって形成される。
【００２６】
外枠３は、コーナーを除く残りの部分において、長手方向に直交する断面形状が一定である。そのため、図１のＡ−Ａ線における外枠３の断面と、図１のＢ−Ｂ線における外枠３の断面は、同じ形状である。図２には、図１のＡ−Ａ線における断面図が示されている。
【００２７】
外枠３は、天板本体２を外側から覆う本体部３０と、本体部３０の上下方向の中央部から内側（天板本体２側）に突出した支持部３１と、を有する。
【００２８】
支持部３１は、天板本体２と裏板と排気枠６を支持する部分である。支持部３１は、図２及び図５に示すように、突出方向の中央部から上方に突出した第一凸部３２と、突出方向の先端部（内側の端部）から上方に突出した第二凸部３３を有する。
【００２９】
本体部３０の外側を向く面（天板本体２とは反対側を向く面）が、外枠３の外面４である。本体部３０は、外面４とは反対側を向く内面４２を有する。外面４の上下長さ（本体部３０の上下長さ）は、例えば、７．５ｍｍである。
【００３０】
外面４は、外面上部４０と、外面上部４０の下端４００に連続する外面下部４１と、を含む。本実施形態では、外面上部４０と外面下部４１は、角を形成するように連続している。
【００３１】
外面上部４０は、本実施形態では、鉛直面Ｆ１に対して傾いた面（平面）であり、下側の部分ほど外側に位置する。外面上部４０の下端４００は、外面上部４０のうち最も外側に位置する部分であり、外面４のうち最も外側に位置する部分である。下端４００は、外面４における上下方向の中間部分である。外面上部４０の上下方向の長さと、外面下部４１の上下方向の長さは、略同じである。
【００３２】
外面下部４１は、本実施形態では、凹曲面である。凹曲面は、断面円弧状に湾曲している。外面下部４１は、その全体が、外面上部４０の下端４００よりも内側に位置する。
【００３３】
外枠３は、天板本体２の外側に位置する上面４３を有する。上面４３は、外枠３の本体部３０のうちの上方を向く面である。上面４３は、本実施形態では、水平面に対して平行な平面部４３０と、その外側と内側にそれぞれ連続する曲面部４３１を含む。上面４３は、外面４に連続している。上面４３の幅Ｌ１（内外方向の長さ）は、１ｍｍ程度である。
【００３４】
上面４３の高さ（平面部４３０の高さ）は、外枠３に取り付けた状態の天板本体２の上面２２の外縁の高さ以下である。本実施形態では、上面４３の高さ（平面部４３０の高さ）は、天板本体２の上面２２の外周部分の傾斜面２３の下端２３０の高さと同じである。ここで、高さとは、外枠３の本体部３０の下面（つまりカウンター上面）からの上下方向の長さを意味する。
【００３５】
上述した外枠３に、天板本体２、裏板、排気枠６、及びパッキン７を取り付けることで、図１に示す天板１が形成される。
【００３６】
図１及び図２に示すように、天板本体２の外周部分（左右の端部と前端部）は、下面２４が第一凸部３２に接して、外枠３によって下から支持される。天板本体２の外面２５は、外枠３の本体部３０の内面４２に接する。裏板は、第二凸部３３に接して、外枠３によって下から支持される。排気枠６は、支持部３１の上面のうち本体部３０に隣接する部分に接して、下から支持される。
【００３７】
支持部３１の下面３４の外側の端部に、パッキン７が装着される。パッキン７は、外枠３の周方向の全長にわたって、支持部３１の下面３４に装着される。パッキン７は、例えば接着剤によって支持部３１の下面３４に取り付けられる。
【００３８】
（２−２）加熱調理器
図３には、本実施形態の加熱調理器１００が示されている。加熱調理器１００は、調理台（図示せず）のカウンターに形成された孔に、上方より挿入されて設置されるドロップインタイプのグリル付きガスコンロである。
【００３９】
加熱調理器１００は、調理台のカウンターに形成された孔に設置された状態で、天板１のパッキン７がカウンター上面に当たって潰れ、外枠３の本体部３０の下面がカウンター上面に接する。
【００４０】
加熱調理器１００は、上述した天板１と、複数の加熱装置５と、複数の五徳８と、排気カバー９と、筐体（図示せず）と、グリル装置（図示せず）と、を備える。
【００４１】
筐体は、上面が開口した箱型であり、上面の開口が天板１によって閉塞される。筐体内に、複数の加熱装置５が収容される。
【００４２】
グリル装置は、筐体内に位置し、筐体の外側に開いた開口を有するグリル庫と、この開口を開閉するグリル扉と、グリル庫内に出し入れ自在なトレイと、トレイ上の被調理物を加熱するグリルバーナーとを備える。グリル庫の内部空間が、排気枠６の排気口６０に連通している。
【００４３】
複数の加熱装置５のそれぞれは、コンロバーナーである。コンロバーナーは、その下部が筐体内に収容され、その上部が天板１の貫通孔２０を通って天板１よりも上方に突出している。コンロバーナーは、平面視円環状に並んだ複数の炎が形成されるガスバーナーである。加熱装置５は、五徳８の上に配置された鍋、フライパン等の調理容器を加熱する。
【００４４】
複数の五徳８のそれぞれは、対応する加熱装置５の上部（天板１から上方に突出した部分）を囲むように、天板１上に設置されている。
【００４５】
排気カバー９は、排気枠６の排気口６０を覆うカバーである。本実施形態では、排気枠６上には、二つの排気カバー９が着脱可能に載せられている。
【００４６】
（３）作用効果
以上説明した本実施形態の天板１では、図２に示すように、外枠３の外面下部４１が外面上部４０の下端４００よりも内側に位置している。そのため、本実施形態の天板１では、上方から見たときに、外面下部４１が影になって見えにくく、外面４の全体が見える場合に比べて、外枠３が幅狭にかつ上下に短く見えて、外枠３が目立ちにくい。
【００４７】
また、本実施形態の天板１では、外面上部４０が鉛直面Ｆ１に対して傾いた面であり、外面上部４０が下側の部分ほど外側に位置する。そのため、本実施形態の天板１では、上方から見たときに、外面上部４０が明るく見えて、外面下部４１との明暗の差が大きくなって、外面下部４１が見えにくい。また、これにより、外枠３の本体部３０の上下方向の中間部分が肉厚となり、細く設けた本体部３０の強度が確保しやすい。
【００４８】
また、本実施形態の天板１では、外面下部４１が凹曲面であるため、平面である場合に比べて、上方から見たときに、外面下部４１が影になりやすい。
【００４９】
また、本実施形態の天板１では、外面上部４０と外面下部４１が角を形成するように連続しているため、曲面を形成するように連続する場合に比べて、上方から見たときに、外面上部４０と外面下部４１との明暗の差が付きやすい。
【００５０】
また、本実施形態の天板１では、外枠３の上面４３の高さが、天板本体２の上面２２の外周部分の傾斜面２３の下端２３０（上面２２の外縁）の高さと同じである。そのため、本実施形態の天板１では、天板本体２の上面２２に落下した煮こぼれ等の液体が、天板本体２の上面２２と外枠３の上面４３との境界部分に入り込みにくい。また、天板本体２の上面２２の外縁（傾斜面２３の下端２３０）の高さを抑えることができるため、外枠３の本体部３０の上下長さを抑えることができて、外枠３が目立ちにくい。
【００５１】
（４）変形例
続いて、上述した実施形態の天板１及び加熱調理器１００の変形例について説明する。
【００５２】
外枠３の外面４は、外面下部４１が外面上部４０の下端４００よりも内側に位置すればよく、外面上部４０と外面下部４１は、図２に示す形態に限定されない。
【００５３】
例えば、図６Ａに示す変形例１のように、外面上部４０は、鉛直面Ｆ１に対して平行な面であってよい。また、外面下部４１は、凹曲面に限らず、図６Ｂに示す変形例２のように、下側の部分ほど内側に位置するように、鉛直面Ｆ１に対して傾いた平面からなる傾斜面であってもよい。また、外面上部４０と外面下部４１は、角を形成するように連続しなくてもよく、図６Ｃに示す変形例３のように、曲面を形成するように連続してもよい。
【００５４】
また、外枠３の上面４３の高さは、天板本体２の上面２２の外縁の高さ（傾斜面２３の下端２３０の高さ）よりも低くてもよい。また、外枠３の上面４３の高さは、天板本体２の上面２２の外縁の高さ（傾斜面２３の下端２３０の高さ）よりも高くてもよい。なお、外枠３の上面４３は、その全体が凸曲面であってもよい。
【００５５】
また、天板本体２の上面２２は、その外周部分に傾斜面２３を有するものに限らず、上面２２の全体が、水平面に対して平行な平面であってもよい。
【００５６】
天板本体２は、ガラス製に限らず、アルミニウム製であってもよい。
【００５７】
加熱調理器１００は、ドロップインタイプに限らず、テーブルタイプのガスコンロであってもよいし、グリル装置を備えなくてもよい。グリル装置を備えない場合、加熱調理器１００は、排気枠６及び排気カバー９を省略できる。また、加熱調理器１００は、ガスコンロに限らず、電磁加熱調理器や、ハロゲンヒータ、ラジエントヒータなどの電気ヒーターを備えた電気加熱調理器であってもよい。この場合、加熱調理器１００は、貫通孔２０、保護カバー２１、及び五徳８を省略できる。この場合、加熱装置５は、その全体が、天板１の下方に位置する。調理容器は、天板１の上面に置かれることで、天板１の上方に配置される。
【００５８】
（５）まとめ
以上説明した実施形態及びその変形例の天板１のように、第一態様の天板（１）は、下記の構成を備える。
【００５９】
すなわち、第一態様の天板（１）は、天板本体（２）と、天板本体（２）を囲む外枠（３）と、を備える。外枠（３）は、天板本体（２）とは反対側である外側を向く外面（４）を有する。外面（４）は、外面上部（４０）と、外面上部（４０）の下端（４００）に連続する外面下部（４１）を含む。外面下部（４１）は、外面上部（４０）の下端（４００）よりも内側に位置する。
【００６０】
上記構成を備えることで、第一態様の天板（１）では、上方から見たときに、外枠（３）の外面（４）のうち、外面下部（４１）が影になって見えにくく、外枠（３）が幅狭にかつ上下に短く見えて、外枠（３）が目立ちにくい。
【００６１】
また、上述した実施形態及びその変形例の天板１のように、第二態様の天板（１）は、第一態様の天板（１）の構成に加えて、下記の構成を付加的に備える。
【００６２】
すなわち、第二態様の天板（１）では、外面上部（４０）は、鉛直面（Ｆ１）に対して傾いた面であり、下側の部分ほど外側に位置する。
【００６３】
上記構成を備えることで、第二態様の天板（１）では、上方から見たときに、外面上部（４０）が明るく見えて、外面下部（４１）との明暗の差が大きくなりやすく、外面下部（４１）がより見えにくい。
【００６４】
また、上述した実施形態及びその変形例の天板１のように、第三態様の天板（１）は、第一又は第二態様の天板（１）の構成に加えて、下記の構成を付加的に備える。
【００６５】
すなわち、第三態様の天板（１）では、外面下部（４１）は、凹曲面である。
【００６６】
上記構成を備えることで、第三態様の天板（１）では、上方から見たときに、外面下部（４１）が影になりやすく、外面下部（４１）がより見えにくい。
【００６７】
また、上述した実施形態及びその変形例の天板１のように、第四態様の天板（１）は、第一から第三態様のいずれか一つの天板（１）の構成に加えて、下記の構成を付加的に備える。
【００６８】
すなわち、第四態様の天板（１）では、外面上部（４０）と外面下部（４１）は、角を形成するように連続している。
【００６９】
上記構成を備えることで、第四態様の天板（１）では、上方から見たときに、外面上部（４０）と外面下部（４１）の明暗の差が付きやすく、外面下部（４１）がより見えにくい。
【００７０】
また、上述した実施形態及びその変形例の天板１のように、第五態様の天板（１）は、第一から第四態様のいずれか一つの天板（１）の構成に加えて、下記の構成を付加的に備える。
【００７１】
すなわち、第五態様の天板（１）では、外枠（３）は、天板本体（２）の外側に位置する上面（４３）を有する。上面（４３）の高さは、天板本体（２）の上面（２２）の外縁の高さ以下である。
【００７２】
上記構成を備えることで、第五態様の天板（１）では、天板本体（２）の上面（２２）に落下した煮こぼれ等の液体を掃除する際に、この液体が天板本体（２）の上面（２２）と外枠（３）の上面（４３）との境界部分に入り込むことを抑制することができる。
【００７３】
また、上述した実施形態及びその変形例の天板１のように、第六態様の天板（１）は、第五態様の天板（１）の構成に加えて、下記の構成を付加的に備える。
【００７４】
すなわち、第六態様の天板（１）では、天板本体（２）の上面（２２）の外周部分は、外側の部分ほど下方に位置するように傾いた傾斜面（２３）である。
【００７５】
上記構成を備えることで、第六態様の天板（１）では、天板本体（２）の上面（２２）に落下した煮こぼれ等の液体が、上面（２２）の外周部分の傾斜面（２３）を伝って外側に流れ落ちる際に、外枠（３）がこの流れを止めることを防ぐことができる。
【００７６】
また、上述した実施形態及びその変形例の天板１のように、第七態様の天板（１）は、第五又は第六態様の天板（１）の構成に加えて、下記の構成を付加的に備える。
【００７７】
すなわち、第七態様の天板（１）では、天板本体（２）は、ガラス製である。
【００７８】
上記構成を備えることで、第七態様の天板（１）では、天板本体（２）の上面（２２）の縁部分を外枠（３）で保護することができ、この縁部分に欠けが生じることを抑制することができる。
【００７９】
また、上述した実施形態及び変形例の加熱調理器１００のように、第八態様の加熱調理器（１００）は、第一から第七態様のいずれか一つの天板（１）と、天板（１）の上方に配置された調理容器を加熱する加熱装置（５）と、を備える。
【００８０】
上記構成を備えることで、第八態様の加熱調理器（１００）では、天板（１）の外枠（３）が目立ちにくい。
【００８１】
以上、本開示を添付図面に示す実施形態に基づいて説明したが、本開示は上記の実施形態に限定されるものではなく、本開示の意図する範囲内であれば、適宜の設計変更が可能である。
【符号の説明】
【００８２】
１      天板
２      天板本体
２２    上面
２３    傾斜面
２３０  下端
３      外枠
４      外面
４０    外面上部
４００    下端
４１    外面下部
４３    上面
５      加熱装置
１００  加熱調理器
Ｆ１    鉛直面
【図１】
2020153570.tif 000003
【図２】
2020153570.tif 000004
【図３】
2020153570.tif 000005
【図４】
2020153570.tif 000006
【図５】
2020153570.tif 000007
【図６】
2020153570.tif 000008